(57)【要約】  【課題】  門外の映像を誰でも容易に門の内外から視認できるようにすることを目的とする。  【解決手段】  本考案は上記目的を達成するために門上の所定位置に設けられた門外のモニタにおいて、門板の外側に設けた映像レシーバと、門板内側の所定位置に設け、液晶ディスプレイが前記映像レシーバの発送する映像インフォメーションを受信し、並びに映像レシーバから伝送してきた映像インフォメーションを液晶ディスプレイ上に表示することを特徴とする門外のモニタを提供する。【選択図】図２
0003124023.tif 000002
【実用新案登録請求の範囲】
【請求項１】
門上の所定位置に設けられた門外のモニタにおいて、門板の外側に設けた映像レシーバと、門板内側の所定位置に設け、液晶ディスプレイが前記映像レシーバの発送する映像インフォメーションを受信し、並びに映像レシーバから伝送してきた映像インフォメーションを液晶ディスプレイ上に表示することを特徴とする門外のモニタ。
【請求項２】
前記映像レシーバがピンホール・カメラであることを特徴とする請求項１記載の門外のモニタ。
【請求項３】
前記ディスプレイが制御スイッチを有することを特徴とする請求項１記載の門外のモニタ。
【請求項４】
前記制御スイッチが赤外線感応器であることを特徴とする請求項３記載の門外のモニタ。
【請求項５】
前記制御スイッチがベルであることを特徴とする請求項３記載の門外のモニタ。
【請求項６】
前記門板は内門板および外門板から構成されて、前記映像レシーバは外門板の外側に設けられ、前記の液晶ディスプレイは内門板の内側に設けられていることを特徴とする請求項１記載の門外のモニタ。
【考案の詳細な説明】
【技術分野】
【０００１】
本考案は門外のモニタに関するものであり、特に、門のオープンを必要とせず、又は門の近傍に接近しなくても門外の映像が視認できる門外のモニタに関するものである。
【背景技術】
【０００２】
人が居住の空間に出入口を設置して出入りしている。しかも風雨をよけるとともに個人の秘密を保有するために、出入口に門が設置されている。
【０００３】
しかも、門をオープンすることなく門外の映像が視認できるように、人は門上にキャッツアイを取付けている。該キャッツアイは凹レンズの光学原理を利用して作成されたものであり、そして、それは門内の人が門外の映像を見ることができるように構成されて成るのである。但し、門外の人は門内の映像を見ることができないので、人に大きな便宜を付与するものである。
【０００４】
但し、キャッツアイを使用する場合には目をキャッツアイに接近する必要があり、使用上不便を来す。身長不足或いは身体不自由の人にとっては更に使用上の不便を来すことになる。
【考案の開示】
【考案が解決しようとする課題】
【０００５】
本考案は上記従来例の欠陥に鑑み、門外の映像を誰でも容易に門の内外から視認できるようにするために解決すべき技術的課題が生じてくるのであり、本考案は該課題を解決することを目的とする。
【課題を解決するための手段】
【０００６】
請求項１記載の考案は上記目的を達成するために、門上の所定位置に設けられた門外のモニタにおいて、門板の外側に設けた映像レシーバと、門板内側の所定位置に設け、液晶ディスプレイが前記映像レシーバの発送する映像インフォメーションを受信し、並びに映像レシーバから伝送してきた映像インフォメーションを液晶ディスプレイ上に表示することを特徴とする門外のモニタを提供する。
【０００７】
請求項２記載の考案は、前記映像レシーバがピンホール・カメラであることを特徴とする請求項１記載の門外のモニタを提供する。
【０００８】
請求項３記載の考案は、前記ディスプレイが制御スイッチを有することを特徴とする請求項１記載の門外のモニタを提供する。
【０００９】
請求項４記載の考案は、前記制御スイッチが赤外線感応器であることを特徴とする請求項３記載の門外のモニタを提供する。
【００１０】
請求項５記載の考案は、前記制御スイッチがベルであることを特徴とする請求項３記載の門外のモニタを提供する。
【００１１】
請求項６記載の考案は、前記門板は内門板および外門板から構成されて、前記映像レシーバは外門板の外側に設けられ、前記の液晶ディスプレイは内門板の内側に設けられていることを特徴とする請求項１記載の門外のモニタを提供する。
【考案の効果】
【００１２】
本考案は上記構成に係るから、門外の映像が液晶ディスプレイ上に表示され、従って、誰でも前記映像を門の内外から視認することができる。即ち、たとえ、門外に外出していても上記映像は直ちに視認することができ、且つ、ディジタル録画機及び保全設備を介して録画を保存することが可能となり、住居の安全維持に著しく寄与するのである。更に又、コンピュータを制御するデータベース又はインターネットを併用することにより、液晶ディスプレイ上に情報を予設することもできる。
【考案を実施するための最良の形態】
【００１３】
本考案は、門外の映像を誰でも容易に門の内外から視認できるようにすると云う目的を、門上の所定位置に設けられた門外のモニタにおいて、門板の外側に設けた映像レシーバと、門板内側の所定位置に設け、液晶ディスプレイが前記映像レシーバの発送する映像インフォメーションを受信し、並びに映像レシーバから伝送してきた映像インフォメーションを液晶ディスプレイ上に表示することを特徴とする門外のモニタを提供することにより実現した。
【実施例】
【００１４】
以下、本考案の好適な実施例を図を参照して説明する。
【００１５】
図１及び図２に示すように、本考案の門外のモニタは門板１上に設置されるものであって、門板１の外側に設ける映像レシーバ１０と、門板１の内側に設けた液晶ディスプレイ（ＬＣＤ）２０とから成る。使用時には映像レシーバ１０が門外の映像をディスプレイ２０に伝送することで、門内から門外の映像を視認できる。又、たとえ、外出している場合でも携帯電話機又はコンピュータ等を通じて即時に門外の映像を視認でき、且つ、ディスプレイ２０は覚書又は広告看板となすことができる。本考案は、回転式およびスライド式門板を含むものとする。以下、本考案を詳細に述べる。
【００１６】
映像レシーバ１０はピンホール・カメラを使用することができて、門板１内側の所定位置に設けることで門外の映像を受信する。
【００１７】
液晶ディスプレイ２０の外形は薄く、且つ、重量が軽いので門板１内側の所定位置に設置できる。前記の液晶ディスプレイ２０は映像レシーバ１０が発送する映像インフォメーションを受信する。並びに映像レシーバ１０から伝送してきた映像インフォメーションを液晶ディスプレイ２０上に表示することで、門外の映像を表示する。そして、ディスプレイ２０が予め設計拡大できるので、門の側に近接しなくてもはっきりと門外の映像を見ることが可能となり、使用上、極めて便利である。
【００１８】
前記映像レシーバ１０およびディスプレイ２０はケーブル（例えばＤ−Ｓｕｂ１５、ＲＡＣ端子、Ｓ端子、Ｆ端子）又は無線電波を介してインフォメーションを伝送できる。
【００１９】
図３に示すように、電力節約のためディスプレイ２０には制御スイッチ２１を設けることができて、不使用時に自動的に電力節約のモードにする。前記制御スイッチ２１は赤外線感応器等のリモートコントロール設備、又は、ベル等の手動スイッチとすることができる。
【００２０】
この外、ディスプレイ２０はディジタル録画機２２および／又は保全設備２３に連設できる。映像の保存および住まいの安全を維持する外、映像インフォメーションを予め携帯電話機及びコンピュータ等へ伝送できるように構成し、たとえ門を出て外にいる場合でも門外の映像を視認することができるように構成されている。
【００２１】
しかも、ディスプレイ２０には通信設備２４を設けることによって、門をオープンしない状況の下で門内および門外の人が容易に通信ができる。
【００２２】
ディスプレイ２０は、又、コンピュータ制御３０に連設することでインフォメーションを予め設ける。前記のコンピュータ制御３０は自身のデータ・ベース又はインターネットを介して更に、以下列挙する機能を発揮する。
１．覚書の設定、門の上に表示し好ましい呼び覚ましの効果がある。
２．広告看板とする。
３．期日表示、天気又はトラフィック状況等の即時インフォメーション。
【００２３】
ディスプレイ２０は更に人の顔識別系統４０に合わせることで、来訪客の身分を識別する。並びにディスプレイ２０上で来訪客データを表示して使用者を呼び覚まし、且つ、自動音声応答で来訪客に伺いをすることができる。
【００２４】
この外、ディスプレイ２０も衛星即時インフォメーション系統５０に合わせ、各種類の即時インフォメーションをディスプレイ２０まで伝送して、使用者に告知する。
【００２５】
図４に示す第二実施例は、前記映像レシーバ１０が直接門外の映像をディジタル録画機２２、保全設備２３及び人の顔識別系統４０に伝送できる。
【００２６】
図５に示す第三実施例は、前記門板１は内門板２及び外門板３から構成され、映像レシーバ１０は外門板３の外側に設けて、しかも、ディスプレイ２０は内門板２の内側に設けている。
【００２７】
本考案が採用される部品、ユニット間の連結とインフォメーションの伝送方式は、周知技術に属するので、その説明は省略する。
【００２８】
前述したことを総合すると、前記素子の組合わせを介して、使用時には映像レシーバがはっきりと門外の映像を液晶ディスプレイ上に表示することができて、使用者が容易に門内から門外の映像を視認でき、たとえ門から出て外にいる場合でもやはり直ちに門外の映像を視認できて、且つ、ディジタル録画機及び保全設備を介して録画を保存することで住まいの安全を維持する。更に、コンピュータを制御するデータベース又はインターネットを通じての利用で、液晶ディスプレイ上にインフォメーションを予め設けることができる。又、覚書及び広告看板の機能を有する門外のモニタを得ることもでき、更に又、衛星即時情報系統に合わせることもでき、之によって門外のモニタを提供することも可能となる。
【００２９】
尚、本考案は、本考案の精神を逸脱しない限り種々の改変を為すことができ、そして、本考案が該改変されたものに及ぶことは当然である。
【図面の簡単な説明】
【００３０】
【図１】本考案を門に設けたものを屋内から見た裏面図。
【図２】本考案を門に設けたものを屋内から見た正面図。
【図３】本考案の構成解説図。
【図４】本考案の第二実施例の構成解説図。
【図５】本考案の第三実施例の構成解説図。
【符号の説明】
【００３１】
１        門板
２        内門板
３        外門板
１０        映像レシーバ
２０        液晶ディスプレイ
２１        制御スイッチ
２２        ディジタル録画機
２３        保全設備
２４        通信設備
３０        コンピュータ制御部
４０        人の顔識別系統
５０        衛星即時インフォメーション系統
【図１】
0003124023.tif 000003
【図２】
0003124023.tif 000004
【図３】
0003124023.tif 000005
【図４】
0003124023.tif 000006
【図５】
0003124023.tif 000007